【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
第１の方向に延伸する複数の放射線遮蔽部が、前記第１の方向に直交する第２の方向に第１のピッチで配設され、放射線源から照射された放射線を通過させて第１の周期パターン像を生成する第１の格子と、
前記第１の方向に延伸する複数の放射線遮蔽部が前記第２の方向に第２のピッチで配設され、前記第１の周期パターン像を部分的に遮蔽して第２の周期パターン像を生成する第２の格子と、
前記第１の格子に対して前記第２の格子を、前記第２の方向に所定のピッチずつ相対的に移動させる走査手段と、
前記第２の周期パターン像を画像信号として検出する放射線画像検出器と、
前記放射線画像検出器で取得された前記画像信号に基づいて位相情報を画像化する演算処理手段と、を備え、
前記第２の格子の位置における前記第１のパターン像の前記第２の方向に関する周期をｐ１’、前記第２の格子の前記第２の方向に関する実質的な格子ピッチをｐ２’、前記放射線画像検出器の各画素の放射線受光領域の前記第２の方向に関する大きさをＤＸとした場合に、下式を満たすことを特徴とする放射線撮影システム。
ＤＸ≠ｎ×（ｐ１’×ｐ２’）／｜ｐ１’−ｐ２’｜
ここで、ｎは正の整数である。
【請求項２】
下式を満たすことを特徴とする請求項１に記載の放射線撮影システム。
ＤＸ＜（ｐ１’×ｐ２’）／｜ｐ１’−ｐ２’｜
【請求項３】
前記第１の格子は吸収型格子であり、前記第１の格子を通過した放射線は、タルボ干渉を起こさず、投影像として前記第１の周期パターン像を形成することを特徴とする請求項１または２に記載の放射線撮影システム。
【請求項４】
前記放射線源の焦点から前記第１の格子までの距離をＬ１、前記第１の格子から前記第２の格子までの距離をＬ２、前記第１のピッチをｐ１、前記放射線のピーク波長をλとした場合に、下式を満たすことを特徴とする請求項３に記載の放射線撮影システム。
Ｌ２＜｛（Ｌ１＋Ｌ２）／Ｌ１｝×ｐ１２／λ
【請求項５】
前記放射線源の焦点から前記第１の格子までの距離をＬ１、前記第１の格子から前記第２の格子までの距離をＬ２、前記第１のピッチをｐ１、前記第２のピッチをｐ２とした場合に、下式を満たすことを特徴とする請求項１から４いずれか１項に記載の放射線撮影システム。
ｐ２＝｛（Ｌ１＋Ｌ２）／Ｌ１｝×ｐ１
【請求項６】
前記放射線源の焦点から前記第１の格子までの距離をＬ１、前記第１の格子から前記第２の格子までの距離をＬ２、前記第１及び第２の格子のスリット部の前記第２方向に関する開口幅をそれぞれｄ１、ｄ２とした場合に、下式を満たすことを特徴とする請求項１から５いずれか１項に記載の放射線撮影システム。
ｄ２＝｛（Ｌ１＋Ｌ２）／Ｌ１｝×ｄ１
【請求項７】
前記放射線源の焦点から前記放射線画像検出器までの距離をＬ、前記第１の格子の放射線遮蔽部の前記第１及び第２の方向に直交する方向の厚さをｈ１、前記放射線画像検出器の検出面における前記第２の方向の有効視野の長さをＶとした場合に、下式を満たすことを特徴とする請求項６に記載の放射線撮影システム。
ｈ１≦｛Ｌ／（Ｖ／２）｝×ｄ１
【請求項８】
前記第２の格子の放射線遮蔽部の前記第１及び第２の方向に直交する方向の厚さをｈ２とした場合に、下式を満たすことを特徴とする請求項７に記載の放射線撮影システム。
ｈ２≦｛Ｌ／（Ｖ／２）｝×ｄ２
【請求項９】
放射線を領域選択的に遮蔽することにより、多数の点光源を生成する第３の格子を有する放射線源を備え、前記第３の格子の位置が前記焦点の位置とみなせることを特徴とする請求項１から８いずれか１項に記載の放射線撮影システム。
【請求項１０】
前記放射線画像検出器は、前記第１及び第２の方向に沿って画素が２次元配列されたフラットパネル検出器であることを特徴とする請求項１から９いずれか１項に記載の放射線撮影システム。
【請求項１１】
前記周期ｐ１’及び前記ピッチｐ２’の少なくとも一方を変更可能とする変更手段をさらに備えることを特徴とする請求項１から１０いずれか１項に記載の放射線撮影システム。
【請求項１２】
前記変更手段は、前記第１及び第２の方向に直交する方向に平行な回転軸を中心として、前記第１の格子及び前記第２の格子の少なくとも一方を回転させるものであることを特徴とする請求項１１に記載の放射線撮影システム。
【請求項１３】
前記変更手段は、前記第１の方向に平行な回転軸を中心として、前記第１の格子及び前記第２の格子の少なくとも一方を傾斜させるものであることを特徴とする請求項１１に記載の放射線撮影システム。
【請求項１４】
前記変更手段は、前記第１及び第２の方向に直交する方向に、前記第１の格子及び前記第２の格子の少なくとも一方を移動させるものであることを特徴とする請求項１１に記載の放射線撮影システム。
【請求項１５】
前記位相情報は、前記放射線画像検出器の各画素について得られる強度変調信号の位相ズレ量を算出することにより生成される位相微分像であることを特徴とする請求項１から１４いずれか１項に記載の放射線撮影システム。
【請求項１６】
前記演算処理手段は、前記位相微分像を前記第２の方向に積分することにより、位相コントラスト画像を生成することを特徴とする請求項１５に記載の放射線撮影システム。
【請求項１７】
前記第１及び第２の方向に直交する方向に平行な回転軸を中心として、前記第１の格子及び前記第２の格子を所定角度回転させる格子回転手段をさらに備え、前記回転前後のそれぞれにおいて、前記位相情報の画像化を行うことを特徴とする請求項１から１６いずれか１項に記載の放射線撮影システム。
【請求項１８】
前記放射線源と前記放射線画像検出器が水平方向に対向配置され、被検体の立位撮影を可能とすることを特徴とする請求項１から１７いずれか１項に記載の放射線撮影システム。
【請求項１９】
前記放射線源と前記放射線画像検出器が上下方向に対向配置され、被検体の臥位撮影を可能とすることを特徴とする請求項１から１７いずれか１項に記載の放射線撮影システム。
【請求項２０】
前記放射線源と前記放射線画像検出器とが旋回アームによって保持され、被検体の立位撮影及び臥位撮影を可能とすることを特徴とする請求項１から１７いずれか１項に記載の放射線撮影システム。
【請求項２１】
被検体として乳房を撮影可能とするマンモグラフィ装置であることを請求項１から１７いずれか１項に記載の放射線撮影システム。
【請求項２２】
前記放射線源、前記第１の格子、前記強度変調手段、及び前記放射線画像検出器を、被検体に対して光軸方向に連動移動させる連動移動手段と、拡大率に応じて前記連動移動手段を制御して前記放射線源から被検体までの距離を調整する制御手段とを備えることを特徴とする請求項２１に記載の放射線撮影システム。
【請求項２３】
前記放射線画像検出器を被検体に対して光軸方向に移動させる検出器移動手段と、拡大率に応じて前記検出器移動手段を制御して前記放射線源から前記放射線画像検出器までの距離を調整する制御手段とを備えることを特徴とする請求項２１に記載の放射線撮影システム。
【請求項２４】
前記第１及び第２の格子は、前記放射線源の焦点を通る線を軸とした円筒面に配設されていることを特徴とする請求項１から２３いずれか１項に記載の放射線撮影システム。
【請求項２５】
前記第１及び第２の格子は、前記円筒面の湾曲方向に湾曲するように延伸していることを特徴とする請求項２４に記載の放射線撮影システム。
【請求項２６】
前記放射線源、前記第１の格子、前記第２の格子、及び前記放射線画像検出器を、被検体を中心として一体的に回転させる回転移動手段と、前記回転移動手段による複数の回転角度で得られた複数の位相情報に基づいて３次元画像を構成する３次元画像構成手段とを備えることを特徴とする請求項１に記載の放射線撮影システム。
【請求項２７】
前記放射線画像検出器と前記放射線源との相対位置を、前記第１の方向に沿って変更する位置変更手段と、前記位置変更手段により変更された第１及び第２の相対位置で得られた位相情報に基づいてステレオ画像を構成するステレオ画像構成手段とを備えることを特徴とする請求項１に記載の放射線撮影システム。
【請求項２８】
前記放射線画像検出器の各画素について画素データの平均値に関連する量を求めることにより吸収画像を生成する吸収画像生成手段を備えることを特徴とする請求項１から２７いずれか１項に記載の放射線撮影システム。
【請求項２９】
前記放射線画像検出器の各画素について画素データの平均値を中心としたばらつきに関連する量を求めることにより小角散乱画像を生成する小角散乱画像生成手段を備えることを特徴とする請求項１から２７いずれか１項に記載の放射線撮影システム。
【手続補正２】
【補正対象書類名】明細書
【補正対象項目名】００１５
【補正方法】変更
【補正の内容】
【００１５】
上記目的を達成するために、本発明の放射線撮影システムは、第１の方向に延伸する複数の放射線遮蔽部が、前記第１の方向に直交する第２の方向に第１のピッチで配設され、放射線源から照射された放射線を通過させて第１の周期パターン像を生成する第１の格子と、前記第１の方向に延伸する複数の放射線遮蔽部が前記第２の方向に第２のピッチで配設され、前記第１の周期パターン像を部分的に遮蔽して第２の周期パターン像を生成する第２の格子と、前記第１の格子に対して前記第２の格子を、前記第２の方向に所定のピッチずつ相対的に移動させる走査手段と、前記第２の周期パターン像を画像信号として検出する放射線画像検出器と、前記放射線画像検出器で取得された前記画像信号に基づいて位相情報を画像化する演算処理手段と、を備え、前記第２の格子の位置における前記第１のパターン像の前記第２の方向に関する周期をｐ１’、前記第２の格子の前記第２の方向に関する実質的な格子ピッチをｐ２’、前記放射線画像検出器の各画素の放射線受光領域の前記第２の方向に関する大きさをＤＸとした場合に、下式を満たすことを特徴とする。
ＤＸ≠ｎ×（ｐ１’×ｐ２’）／｜ｐ１’−ｐ２’｜
ここで、ｎは正の整数である。
【手続補正３】
【補正対象書類名】明細書
【補正対象項目名】００４４
【補正方法】削除
【補正の内容】
【手続補正４】
【補正対象書類名】明細書
【補正対象項目名】００４５
【補正方法】削除
【補正の内容】